(57)【特許請求の範囲】
【請求項１】
天面と底面と右側面と左側面と前面と後面を有し、前記前面に空気吹出口が設けられ前記後面に空気吸込口が設けられた直方体形状の筐体と、該筐体内に配置された送風ファン及び熱交換器と、前記筐体内において前記熱交換器の下方に配置されたドレンパンと、該ドレンパンに貯留されたドレン水を排出するために前記右側面又は前記左側面のいずれか一方と前記熱交換器との間に配置されるドレンポンプとを備えた空気調和機において、前記ドレンポンプが配置された側にある前記右側面又は前記左側面にメンテナンス蓋で閉じられるメンテナンス開口を形成し、前記メンテナンス蓋を着脱自在のメンテナンス第１蓋とメンテナンス第２蓋とで構成し、前記メンテナンス第１蓋の裏面に前記ドレンポンプを取り付けたことを特徴とする空気調和機。
【請求項２】
請求項１記載の空気調和機において、
前記メンテナンス第１蓋は、前記メンテナンス開口の上部を閉じる蓋であり、前記メンテナンス第２蓋は、前記メンテナンス開口の下部を閉じる蓋であることを特徴とする空気調和機。
【請求項３】
請求項１又は２に記載の空気調和機において、前記メンテナンス第２蓋は、前記メンテナンス第１蓋に対して独立して着脱できることを特徴とする空気調和機。
【請求項４】
請求項１、２又は３に記載の空気調和機において、前記メンテナンス開口の近傍に、前記筐体を吊すための吊下フックが取り付けられていることを特徴とする空気調和機。
【発明の詳細な説明】
【技術分野】
【０００１】
本発明は空気調和機に関する。
【背景技術】
【０００２】
空気調和機の一種であるダクト型空気調和機２００Ａとして、例えば図１０に示すように、室内天井板１と建屋天井壁２との間に、そのダクト型空気調和機２００Ａの吊下フック３を吊下ボルトＦ１で吊すことによって、そのダクト型空気調和機２００Ａを取り付けるものがある。
【０００３】
このダクト型空気調和機２００Ａは、直方体形状で板金製の筐体１０を備え、その筐体１０の後面には空気吸込口１１が形成され、前面には空気吹出口１２が形成されている。そして、その空気吸込口１１と空気吹出口１２を結ぶ空気流通路１３内において、空気吹出口１２の側に熱交換器２０が、空気吸込口１１の側に送風ファン３０が、それぞれ配置されている。
【０００４】
空気吸込口１１は、吸込ダクト４Ａを介して天井板２に取り付けられた吸込グリル２Ａに接続されている。空気吹出口１２は、吹出ダクト４Ｂを介して天井板２に取り付けられた吹出グリル２Ｂに接続されている。
【０００５】
図１１、図１２にダクト型空気調和機２００Ａの内部構成を示す。筐体１０は、熱交換器用の筐体１０Ａと送風ファン用の筐体１０Ｂとを、空気流通路１３が連通する仕切板１４を間に介在して組み合わせ、直方体形状に構成されている。
【０００６】
熱交換器用の筐体１０Ａは、天面を形成する天面板１０Ａ１、底面を形成する底面板１０Ａ２、右側面を形成する右側面板１０Ａ３、及び左側面を形成する左側面板１０Ａ４によって中空形状に形成され、前面には空気吹出口１２が形成され、内部には熱交換器２０が配置されている。そして、その筐体１０Ａの天面板１０Ａ１の内面には断熱材３０が配置され、底面板１０Ａ２にはドレンパン４０が配置されている。ドレンパン４０の上方には、ドレンパン４０に貯留したドレン水を排出するドレンポンプ６０と、そのドレン水の水位を検出するフロートスイッチ７０が配置されている。
【０００７】
送風ファン用の筐体１０Ｂは、天面を形成する天面板１０Ｂ１、底面を形成する底面板１０Ｂ２、右側面を形成する右側面板１０Ｂ３、及び左側面を形成する左側面板１０Ｂ４によって中空形状に形成され、後面には空気吸込口１１が形成され、内部に送風ファン５０が配置されている。この送風ファン５０にはシロッコファンが用いられ、空気吸込口１１から空気を吸い込んで、空気流通路１３を介して熱交換器２０の方向に吹き出す。
【０００８】
ところで、前記したドレンポンプ６０は、熱交換器用の筐体１０Ａの天面板１０Ａ１に取り付けれらていたので、そのドレンポンプ６０のメンテナンス作業では、底面板１０Ａ２をドレンパン４０とともに取り外す必要があったが、その作業が困難であった。
【０００９】
そこで、筐体１０Ａのドレンポンプ６０の近傍の左側面板１０Ａ４にメンテナンス開口を形成して、そのメンテナンス開口に開閉用のメンテナンス蓋を取り付け、そのメンテナンス蓋の内側にドレンポンプ５０を取り付けることが行われていた（特許文献１）。これによれば、メンテナンス蓋を取り外すことでドレンポンプ６０を外部に取り出すことができるので、ドレンポンプ６０のメンテナンスの作業が容易となる。
【先行技術文献】
【特許文献】
【００１０】
【特許文献１】特開平７−１９８１５６号公報
【発明の概要】
【発明が解決しようとする課題】
【００１１】
しかしながら、この構成では、ドレンポンプ６０を取り付けたままではそのドレンポンプ６０を外部から視認できないので、そのドレンポンプ６０の取付状態での動作確認ができないという問題があった。また、ドレンポンプ６０は形状が比較的大きいので、そのドレンポンプ６０を取り出しやすくするためには、メンテナンス開口ばかりかそのメンテナンス開口を閉じるメンテナンス蓋の形状を大きくする必要があり、大掛かりな構造となる欠点があった。
【００１２】
本発明の目的は、取付状態でのドレンポンプの動作確認が可能であり、また大掛かりな構造を採用することなくドレンポンプの取り出しも容易となった空気調和機を提供することである。
【課題を解決するための手段】
【００１３】
上記目的を達成するために、請求項１にかかる発明は、天面と底面と右側面と左側面と前面と後面を有し、前記前面に空気吹出口が設けられ前記後面に空気吸込口が設けられた直方体形状の筐体と、該筐体内に配置された送風ファン及び熱交換器と、前記筐体内において前記熱交換器の下方に配置されたドレンパンと、該ドレンパンに貯留されたドレン水を排出するために前記右側面又は前記左側面のいずれか一方と前記熱交換器との間に配置されるドレンポンプとを備えた空気調和機において、前記ドレンポンプが配置された側にある前記右側面又は前記左側面にメンテナンス蓋で閉じられるメンテナンス開口を形成し、前記メンテナンス蓋を着脱自在のメンテナンス第１蓋とメンテナンス第２蓋とで構成し、前記メンテナンス第１蓋の裏面に前記ドレンポンプを取り付けたことを特徴とする。
【００１４】
請求項２にかかる発明は、請求項１に記載の空気調和機において、前記メンテナンス第１蓋は、前記メンテナンス開口の上部を閉じる蓋であり、前記メンテナンス第２蓋は、前記メンテナンス開口の下部を閉じる蓋であることを特徴とする。
【００１５】
請求項３にかかる発明は、請求項１又は２に記載の空気調和機において、前記メンテナンス第２蓋は、前記メンテナンス第１蓋に対して独立して着脱できることを特徴とする。
【００１６】
請求項４にかかる発明は、請求項１、２又は３に記載の空気調和機において、前記メンテナンス開口の近傍に、前記筐体を吊すための吊下フックが取り付けられていることを特徴とする。
【発明の効果】
【００１７】
本発明によれば、右側面又は左側面のいずれか一方にメンテナンス蓋で閉じられるメンテナンス開口を形成し、そのメンテナンス蓋を着脱自在のメンテナンス第１蓋とメンテナンス第２蓋とで構成し、メンテナンス第１蓋の裏面にドレンポンプを取り付けたので、メンテナンス第２蓋を取り外すことで内部におけるドレンポンプの動作確認が可能となり、さらにはドレンパンの汚れ状態確認も可能となる。
【００１８】
また、メンテナンス第２蓋を取り外してから第１蓋を取り外すことで開口が完全に開くので、メンテナンス第１蓋の内側に取り付けたドレンポンプをメンテナンス第１蓋とともに取り出すことが容易となる。
【００１９】
さらに、メンテナンス開口の近くに吊り下げのための吊下フックが形成されているときであっても、メンテナンス第２蓋を取り外した後にメンテナンス第１蓋を傾斜させて取り外すことで、ドレンポンプがその吊下フックに当接することを回避できるので、吊下フックに吊下ボルトを取り付けて空気調和機を吊り下げた状態であっても、ドレンポンプを着脱することが可能となる。
【図面の簡単な説明】
【００２０】
【図１】本発明の実施例のダクト型空気調和機の下面斜視図である。
【図２】本発明の実施例のダクト型空気調和機の左側面板近傍の下面図である。
【図３】本発明の実施例のダクト型空気調和機の左側面板近傍の分解斜視図である。
【図４】本発明の実施例のダクト型空気調和機のメンテナンス第１蓋のメンテナンス開口への取付説明のための断面図である。
【図５】本発明の実施例のダクト型空気調和機のメンテナンス第２蓋の取付説明のための分解斜視図図である。
【図６】本発明の実施例のダクト型空気調和機のフロートスイッチの取付状態の側面図である。
【図７】本発明の実施例のダクト型空気調和機のフロートスイッチの取付状態の側面図である。
【図８】本発明の実施例のダクト型空気調和機の電装品箱と配管部分との間の配線の説明図である。
【図９】本発明の実施例のダクト型空気調和機の電装品箱と配管部分との間の配線の説明図である。
【図１０】従来のダクト型空気調和機の設置構造を示す説明図である。
【図１１】従来のダクト型空気調和機の内部構造の説明図である。
【図１２】図１１の従来のダクト型空気調和機を左右反転させた内部構造の説明図である。
【発明を実施するための形態】
【００２１】
以下、本実施例のダクト型空気調和機２００について説明する。図１０〜図１２で説明したものと同じものには同じ符号をつけた。本実施例は、ダクト型空気調和機２００を下面からみた図である図１、図２に示すように、送風ファン用の筐体１０Ｂの左側面板１０Ｂ４の左側には電装品箱８０が取り付けられ、その電装品箱８０の側面の開口は着脱自在の電装品箱蓋８１で閉じられている。
【００２２】
また、ダクト型空気調和機２００の一部を下面から見た図である図３に示すように、熱交換器用の筐体１０Ａの左側面板１０Ａ４には、ドレンポンプ６０やフロートスイッチ７０をメンテナンスするためのメンテナンス開口９１と、熱交換器２０の配管や配線を引き出すための配管開口９２が形成されている。
【００２３】
メンテナンス開口９１は、ドレンポンプ６０が内側に取り付けられたメンテナンス第１蓋９３と、そのメンテナンス第１蓋９３よりも小さい形状のメンテナンス第２蓋９４とで閉じられる大きさである。これらメンテナンス第１蓋９３とメンテナンス第２蓋９４でメンテナンス蓋が構成される。メンテナンス開口９１の上側（図３では下側）には、内側に曲折したリブ９１ａが形成され、そのリブ９１ａの上部（図３では下部）の２か所に外側に突出するよう折り曲げられたガイド片９１ｂが形成されている。
【００２４】
配管開口９２には、熱交換器２０の液管２１をガイドするガイド凹部９２ａ、熱交換器２０のガス管２２をガイドするガイド凹部９２ｂ、配線をガイドするガイド凹部９２ｃ，９２ｄが形成されている。後記するように、メンテナンス開口９１の上部（図３では下部）はメンテナンス第１蓋９３で閉じられ、メンテナンス開口９１の下部（図３では上部）はメンテナンス第２蓋９４で閉じられる。また、配管開口９２は配管蓋９５で閉じられる。９６はフロートスイッチ７０が内側に取り付けられる配管蓋である。
【００２５】
メンテナンス第１蓋９３には、その上端（図３では下端）部に、前記したメンテナンス開口９１のガイド片９１ｂが係合するガイド孔９３ａが形成され、そのガイド孔９３ａの上側（図３では下側）にリブ９３ｂが形成されている。メンテナンス第２蓋９４には、その一方の端部（図３では左端）に位置決め片９４ａが形成されている。
【００２６】
配管蓋９５には、図１に示すように、メンテナンス第２蓋９４の位置決め片９４ａを内側にガイドするためのガイド凸部９５ａ、液管２１をガイドするためのガイド凹部９５ｂ、ガス管２２をガイドするためのガイド凹部９５ｃ、ドレンパン４０に取り付けられたドレン栓４１を位置させるためのガイド凹部９５ｄ、及び、内側に挿通される配線をカバーするための配線カバー９５ｅが、それぞれ形成されている。
【００２７】
ドレンポンプ６０は、図３に示すように、メンテナンス第１蓋９３の内側に、吸込口６１が下側（図３では上側）を向くように取り付けられる。このドレンポンプ６０の排出管６２は、メンテナンス第１蓋９３に取り付けられたドレンパイプ６３に連通するように取り付けられている。
【００２８】
電装品箱８０を閉じる電装品箱蓋８１には、配管蓋９５の配線カバー９５ｅに外側から重なる大きさと形状の配線カバー８１ａが形成されている。
【００２９】
フロートスイッチ７０は、図６、図７に示すように、フロート７１と、そのフロート７１の上下動により動作するスイッチが内蔵されたスイッチ本体７２と、そのスイッチ本体７２を取り付けるための取付片７３とで構成されている。そして、フロートスイッチ７０は、取付片７３を、配管蓋９６の内側に取り付けられたコ字形状のホルダ９６ａのネジ穴９６ａ１にネジＡ１で取り付けることで、筐体１０Ａに間接的に固定される。このフロートスイッチ７０の配置位置は、図２に示すように、ドレンポンプ６０のさらに内側、つまりドレンポンプ６０と熱交換器２０の間である。
【００３０】
図８はドレンポンプ６０の配線１０１とフロートスイッチ７０の配線１０２を電装品箱８０に配線する説明図、図９は熱交換器２０の配管温度を検出する温度センサの配線１０３，１０４と電子膨張弁の配線１０５とを電装品箱８０に配線する説明図である。
【００３１】
ドレンポンプ６０の配線１０１は、ドレンポンプ６０から配管開口９２のガイド凹部９２ｃを経由し左側面板１０Ａ４の外側を経由して電装品箱８０内のコネクタ８２に接続される。フロートスイッチ７０の配線１０２も、フロートスイッチ７０から配管開口９２のガイド凹部９２ｃを経由し左側面板１０Ａ４の外側を経由して電装品箱８０内のコネクタ８３に接続される。
【００３２】
また、温度センサの配線１０３，１０４は、配管開口９２のガイド凹部９２ｄを経由し左側面板１０Ａ４の外側を経由して電装品箱８０内のコネクタ８４に接続される。電子膨張弁の配線１０５も、配管開口９２のガイド凹部９２ｄを経由し左側面板１０Ａ４の外側を経由して電装品箱８０内のコネクタ８４に接続される。なお、温度センサや電子膨張弁は本発明に直接関連しないので図示していない。
【００３３】
さて、空気調和機の左側面板１０Ａ４，１０Ｂ４側の組み立てに当たっては、まず、配線１０１〜１０５を図８、図９で説明したように、ドレンポンプ６０、フロートスイッチ７０、温度センサ、電子膨張弁等と電装品箱８０のコネクタ８２〜８５との間で、配管開口９２の凹部９２ｃ、９２ｄと左側面板１０Ａ４の外側を経由して配線しておく、
【００３４】
次に、ドレンポンプ６０を図３に示すようにメンテナンス第１蓋９３の内側に取り付けておく。フロートスイッチ７０を取り付けるためのホルダ９６ａは、ネジ穴９６ａ１がメンテナンス開口９１の外から見えるように配管蓋９６の内側に取り付けられている。この状態で、そのフロートスイッチ７０の取付片７３を、メンテナンス開口９１の外側からドライバを使用して、フロート７１が下（図７では上）を向く姿勢で、ネジＡ１をネジ穴９６ａ１に螺合することにより、ホルダ９６ａに取り付ける。これにより、フロートスイッチ７０は、ドレン水がドレンパン４０にそのドレンパン４０からから溢れる寸前の量まで貯留したときフロート７１により接点が切り替わる高さに、位置付けられる。
【００３５】
このように、フロートスイッチ７０は、ドレンポンプ６０をメンテナンス第１蓋９３とともにメンテナンス開口９１から取り外しているときは、そのメンテナンス開口９１の外側から着脱することができるので、従来のように底面板を取り外したり、フロートスイッチ７０をメンテナンスするための特別なメンテナンス用開口を設ける必要はない。
【００３６】
次に、ドレンポンプ６０を、メンテナンス第１蓋９３に取り付けられた状態で、図３に示す状態から、メンテナンス開口９１の内部に挿入する。このとき、ドレンポンプ６０の高さがメンテナンス開口９１の開口の上下の間隔よりも大きい場合であっても、そのドレンポンプ６０の吸込口６１が図３のメンテナンス開口９１の方向に倒れるように、メンテナンス第１蓋９３を傾けることにより、そのドレンポンプ６０をメンテナンス開口９１の内側に容易に挿入ことができる。
【００３７】
そして、図４に示すように、メンテナンス第１蓋９３のガイド孔９３ａに、メンテナンス開口９１に形成されたガイド片９１ｂが挿入されるように、メンテナンス第１蓋９３をメンテナンス開口９１に押し付ければ、メンテナンス第１蓋９３がメンテナンス開口９１に対して正確に位置決めされる。よって、この後にネジＢ１により、そのメンテナンス第１蓋９３の上部（図３では下部）を左側面板１０Ａ４の上部（図３では下部）に締め付けると、図５に示す状態となる。つまり、メンテナンス開口９１の上部（図３では下部）がメンテナンス第１蓋９３によって閉じられる。これによって、ドレンポンプ６０はその吸込口６１がドレンパン４０に近接する。
【００３８】
次に、配管開口９２に対して配管蓋９５を図１、図２に示すようにビスＣ１によって取り付けて、その配管開口９２を閉じる。これにより、配管蓋９５のガイド凸部９５ａはメンテナンス開口９１の近傍に、ガイド凹部９５ｂは液管２１の下部に、ガイド凹部９５ｃはガス管２２の下部に、ガイド凹部９５ｄはドレン栓４１の上部に、それぞれ位置する。また、配管蓋９５の配線カバー９５ｅは電装品箱８０の近傍に位置する。このとき、配線カバー９５ｅによって配線１０１〜１０５の一部がカバーされる。
【００３９】
次に、図５に示すように、メンテナンス第２蓋９４の位置決め片９４ａを配管蓋９５のガイド凸部９５ａの内側に差し込むことで、そのメンテナンス第２蓋９４の位置決めを行う。そして、ビスＤ１によってそのメンテナンス第２蓋９４を左側面板１０Ａ４に対して締め付けると、メンテナンス開口９１の残っていた部分もメンテナンス第２蓋９４によって閉じられる。この結果、図１に示すように、メンテナンス開口９１がメンテナンス第１蓋９３とメンテナンス第２蓋９４によって、完全に閉じられる。
【００４０】
最後に、電装品箱蓋８１を、その配線カバー８１ａが配管蓋９５の配線カバー９５ｅの上に重なるように、ビスＥ１で取り付ければ、最終的には、図１に示すように熱交換器の左側面側が組み立てられる。
【００４１】
このとき、配線１０１〜１０５は、配管蓋９５の配線カバー９５ｅと電装品箱蓋８１の配線カバー８１ａによって完全にカバーされ保護されるので、外部の影響をうけることはない。
【００４２】
また、配線１０１〜１０５は左側面板１０Ａ４の外側を経由して電装品箱８０の端子８２〜８５に接続されるので、ドレンポンプ６０やフロートスイッチ７０を取り外すことに備えてその配線１０１〜１０５を長くしておく必要がなく、また配線１０１〜１０５の電装品箱６０の側の端子をコネクタから取り外す必要もない。つまり、ドレンポンプ６０やフロートスイッチ７０を取り外す際に、配線の影響をうけることがない。
【００４３】
また、以上のように組み立てられた状態では、メンテナンス第２蓋９４はビスＤ１を緩めることによって単独で取り外すことができる。メンテナンス第２蓋９４を取り外すせば、メンテナンス開口９１の下部が図５に示すように開口する。よって、試運転においては、そのメンテナンス開口９１の下部から内部を覗くことで、ドレンポンプ６０によってドレンパン４０のドレン水が正常に吸い上げられているか否かを確認できる。通常運転時においては、ドレンパン４０の汚れ状態を確認できる。
【００４４】
また、メンテナンス開口９１やそれを閉じるメンテナンス第１蓋９３及びメンテナンス第２蓋９４は、図１、図５に示すように吊下フック３の真下（図１、図５では真上）に位置していて、ダクト型空気調和機２００の全体をその吊下フック３に吊下ボルトＦ１を挿通して図１０で説明したように建屋天井１から吊下げたときは、その吊下ボルトＦ１の下端がメンテナンス第１蓋９３やメンテナンス第２蓋９４の正面に位置する。
【００４５】
しかし、この場合でも、メンテナンス第２蓋９４を取り外し、続けてメンテナンス第１蓋９３を取り外して下方向（図１、図５では上方向）に傾けることにより、ドレンポンプ６０とともに取り出すことが可能である。さらに続けて、フロートスイッチ７０を取り外すことも可能である。このように、ダクト型空気調和機２００を通常設置した状態であっても、そのままでドレンポンプ６０の交換やフロートスイッチ７０の交換が可能となる。
【００４６】
なお、上記実施例ではドレンポンプ６０とフロートスイッチ７０を筐体１０Ａの左側面板１０Ａ４の内側に配置し、電装品箱８０を筐体１０Ｂの左側面板１０Ｂ４の外側に配置した例について説明したが、ドレンポンプ６０とフロートスイッチ７０を筐体１０Ａの右側面板１０Ａ３の内側に配置し、電装品箱８０を筐体１０Ｂの右側面板１０Ｂ３の外側に配置する場合でも、上記実施例と同様に構成することができる。
【符号の説明】
【００４７】
１：建屋天井壁
２：室内天井板、２Ａ：吸込グリル、２Ｂ：吹出グリル
３：吊下フック
１０：筐体
１０Ａ：熱交換器用の筐体、１０Ａ１：天面板、１０Ａ２：底面板、１０Ａ３：右側面板、１０Ａ４：左側面板
１０Ｂ：送風ファン用の筐体、１０Ｂ１：天面板、１０Ｂ２：底面板、１０Ｂ３：右側面板、１０Ｂ４：左側面板
１１：空気吸込口、１２：空気吹出口、１３：空気流通路、１４：仕切板
２０：熱交換器、２１：液管、２２：ガス管
３０：断熱材
４０：ドレンパン、４１：ドレン栓
５０：送風ファン
６０：ドレンポンプ、６１：吸込口、６２：排出管、６３：ドレンパイプ
７０：フロートスイッチ、７１：フロート、７２：スイッチ本体、７３：取付片
８０：電装品箱、８１：電装品箱蓋、８１ａ：配線カバー、８２〜８５：コネクタ
９１：メンテナンス開口、９１ａ：リブ、９１ｂ：ガイド片
９２：配管開口、９２ａ〜９２ｄ：ガイド凹部
９３：メンテナンス第１蓋、９３ａ：ガイド孔、９３ｂ：リブ
９４：メンテナンス第２蓋、９４ａ：位置決め片
９５：配管蓋、９５ａ：ガイド凸部、９５ｂ〜９５ｄ：ガイド凹部、９５ｅ：配線カバー
９６：配管蓋、９６ａ：ホルダ、９６ａ１：ネジ穴
１０１〜１０５：配線
Ａ１，Ｂ１，Ｃ１，Ｄ１，Ｅ１：ビス
Ｆ１：吊下ボルト
【図１】
0006489312.tif 000002
【図２】
0006489312.tif 000003
【図３】
0006489312.tif 000004
【図４】
0006489312.tif 000005
【図５】
0006489312.tif 000006
【図６】
0006489312.tif 000007
【図７】
0006489312.tif 000008
【図８】
0006489312.tif 000009
【図９】
0006489312.tif 000010
【図１０】
0006489312.tif 000011
【図１１】
0006489312.tif 000012
【図１２】
0006489312.tif 000013